(57)【特許請求の範囲】
【請求項１】
巻取りケースの内部に帯状ロープを巻き取る回転可能な巻取りドラムを組込み、その巻取りドラムをゼンマイばねにより巻取り方向に付勢し、前記巻取りドラムの一側面に複数の係合歯を外周に有する金属製のディスクを固定し、そのディスクの周囲に、ロック片部およびそのロック片部の一端部に作用片部が連設された金属製のロックレバーを配置して、ロック片部と作用片部の連設部を回転自在に支持し、そのロックレバーを弾性部材により作用片部の先端がディスクの外周に接触する方向に向けて付勢し、前記巻取りドラムがロープ繰出し方向に急速に回転して、前記係合歯が前記作用片部のディスクと対向する内側面を蹴り上げる作用によりロックレバーを揺動させ、ロック片部の先端部に対する係合歯の係合により巻取りドラムが帯状ロープの繰出し方向に回転するのを防止するようにした帯状ロープの巻取器において、
前記係合歯のロック片部の先端部が係合可能なロック面に対する反対側の端部に前記作用片部の先端部が係合可能な係合面を設け、その係合面の回転軌跡の範囲内に作用片部の先端部が臨む係合位置と、前記回転軌跡から径方向外方に作用片部の先端部が退避する係合解除位置にロックレバーを切り換えて変位させる切換スイッチを設けたことを特徴とする帯状ロープの巻取器。
【請求項２】
巻取りケースの内部に帯状ロープを巻き取る回転可能な巻取りドラムを組込み、その巻取りドラムをゼンマイばねにより巻取り方向に付勢し、前記巻取りドラムの一側面に複数の係合歯を外周に有する金属製のディスクを固定し、そのディスクの周囲に、ロック片部およびそのロック片部の一端部に作用片部が連設された金属製のロックレバーを配置して、ロック片部と作用片部の連設部を回転自在に支持し、そのロックレバーを弾性部材により作用片部の先端がディスクの外周に接触する方向に向けて付勢し、前記巻取りドラムがロープ繰出し方向に急速に回転して、前記係合歯が前記作用片部のディスクと対向する内側面を蹴り上げる作用によりロックレバーを揺動させ、ロック片部の先端部に対する係合歯の係合により巻取りドラムが帯状ロープの繰出し方向に回転するのを防止するようにした帯状ロープの巻取器において、
前記係合歯のロック片部の先端部が係合可能なロック面に対する反対側の端部に前記作用片部の先端部が係合可能な係合面を設け、前記係合歯の外周にロック面側の一端から係合面側の他端に向けてドラム中心までの半径が次第に小さくなる弧状面を形成し、前記係合面の回転軌跡の範囲内に作用片部の先端部が臨む係合位置と、作用片部の先端がその係合位置から径方向外方に変位して前記弧状面の回転軌跡の範囲内に位置する係合解除位置にロックレバーを切り換えて変位させる切換スイッチを設けたことを特徴とする帯状ロープの巻取器。
【請求項３】
前記切換スイッチを前記ロックレバーの揺動中心軸を中心に揺動自在に支持して、その操作片部を巻取りケースの周壁に形成されたスイッチ挿入孔から外部に位置させ、前記操作片部の一方の揺動操作面に前記ロックレバーを係合位置に変位させた位置で前記スイッチ挿入孔の内周一辺に係合する第１係合段部と、ロックレバーを係合解除位置に変位させた位置でスイッチ挿入孔の内周一辺に係合する第２係合段部を設け、前記ロックレバーのロック片部には巻取りドラムの軸方向に延びる連結バーを設け、その連結バーの端部に切換スイッチと軸方向で対向する連動プレートを設け、その連動プレートにロックレバーの揺動中心軸が挿入されるピン孔を形成し、そのピン孔の内周に切欠部を形成し、前記切換スイッチには前記切欠部に挿入されて、切換スイッチの揺動運動をロックレバーに伝動する突片を設けた請求項１又は２に記載の帯状ロープの巻取器。
【発明の詳細な説明】
【技術分野】
【０００１】
この発明は、建築現場等の高所で作業を行う際に使用される高所作業用安全帯の帯状ロープを巻き取る巻取器に関する。
【背景技術】
【０００２】
一般に、高所で作業を行う場合、高所作業用安全帯が使用される。その高所作業用安全帯においては、胴ベルトの巻き締め状態で左腰部と対応する部位の外面側に巻取器を取付け、その巻取器から引き出された帯状ロープの先端にフックを連結し、そのフックを高所作業位置に張設された親綱や構築物等に係合して安全性を確保するようにしている。
【０００３】
帯状ロープを巻き取る巻取器として、特許文献１に記載されているように、作業者が万一足を踏み外して落下し、帯状ロープが急速に引き出された際、その帯状ロープを巻き取る巻取りドラムをロックし、帯状ロープが繰り出されるのを防止して、作業者の落下距離を最小限に抑え、帯状ロープによって墜落が阻止される作業者に大きな衝撃力が負荷されることのないようにしたロック機構付きのものが知られている。
【０００４】
ここで、巻取器の巻取りドラムから繰り出された帯状ロープが巻取りドラムの巻取り方向の回転によって常に緊張する状態にあると、作業位置の変更の際に抵抗を与えることになり、作業位置をスムーズに変更することができなくなる。そこで、特許文献２に記載された巻取器においては、巻取りドラムの一側面にラチェットホイールを固定し、そのラチェットホイールの外周に形成された係合歯に対するラチェットの係合により、帯状ロープの繰出し量を調整し得るようにしている。
【０００５】
また、巻取器として、安全性および良好な作業性を確保するため、上記特許文献１に記載されたロック機能と、特許文献２に記載された帯状ロープの繰出し量の調整機能の二つの機能を設けたものも存在する。
【先行技術文献】
【特許文献】
【０００６】
【特許文献１】特開平１０−３０５１０９号公報
【特許文献２】特開２００９−１１２５１４号公報
【発明の概要】
【発明が解決しようとする課題】
【０００７】
ところで、ロック機能と帯状ロープの繰出し量の調整機能の二つの機能を有する従来の巻取器においては、巻取りドラムの軸方向一側にロック機構を設け、他側に繰出し量調整機構を設けるようにしているため、部品点数が多く、巻取器が大型化するという問題があった。
【０００８】
また、繰出し量調整機構には大きな負荷を受けることがないために強度が要求されず、巻取器の軽量化の面から、ラチェットおよびラッチェトホイールのそれぞれを合成樹脂の成形品としているが、巻取器の内部に砂等の異物が侵入した際、その異物が研摩材の役目を果たして、ラチェットやラチェットホイールが摩耗し易くなり、耐久性に問題があった。
【０００９】
この発明の課題は、巻取りドラムがロープ繰出し方向に回転するのを防止するロック機能と帯状ロープの繰出し量を調整する繰出し量の調整機能の二つの機能を有する部品点数の少ない小型の帯状ロープ巻取器を提供することである。
【課題を解決するための手段】
【００１０】
上記の課題を解決するために、第１の発明においては、巻取りケースの内部に帯状ロープを巻き取る回転可能な巻取りドラムを組込み、その巻取りドラムをゼンマイばねにより巻取り方向に付勢し、前記巻取りドラムの一側面に複数の係合歯を外周に有する金属製のディスクを固定し、そのディスクの周囲に、ロック片部およびそのロック片部の一端部に作用片部が連設された金属製のロックレバーを配置して、ロック片部と作用片部の連設部を回転自在に支持し、そのロックレバーを弾性部材により作用片部の先端がディスクの外周に接触する方向に向けて付勢し、前記巻取りドラムがロープ繰出し方向に急速に回転して、前記係合歯が前記作用片部のディスクと対向する内側面を蹴り上げる作用によりロックレバーを揺動させ、ロック片部の先端部に対する係合歯の係合により巻取りドラムが帯状ロープの繰出し方向に回転するのを防止するようにした帯状ロープの巻取器において、前記係合歯のロック片部の先端部が係合可能なロック面に対する反対側の端部に前記作用片部の先端部が係合可能な係合面を設け、その係合面の回転軌跡の範囲内に作用片部の先端部が臨む係合位置と、前記回転軌跡から径方向外方に作用片部の先端部が退避する係合解除位置にロックレバーを切り換えて変位させる切換スイッチを設けた構成を採用したのである。
【００１１】
上記の構成からなる帯状ロープの巻取器において、切換スイッチの操作により、ロックレバーを係合位置に変位させた状態で帯状ロープを引き出すと、巻取りドラムが帯状ロープを繰り出す方向に回転する。このとき、ディスクの係合歯がロックレバーの作用片部を押圧し、その押圧によりロックレバーが係合解除位置に向けて揺動すると共に、上記係合歯が作用片部の先端を通過すると、ロックレバーが係合位置に向けて揺動し、係合歯が作用片部の先端を通過するたびに、ロックレバーは揺動を繰り返す。
【００１２】
ここで、ロックレバーが係合解除位置に向けて揺動するとき、ロックレバーはロック片部の先端がディスクの外周面に近づく方向に向けて揺動するが、ロック片部の先端は係合歯の回転軌跡内に入り込むようなことはないようにされているため、巻取りドラムは回転を阻害されることなくロープ繰出し方向に回転する。そして、帯状ロープの引き出しを停止すると、係合歯の係合面が作用片部の先端部に係合し、巻取りドラムは帯状ロープを繰り出した位置で停止保持される。
【００１３】
このように、ロックレバーを、その作用片部の先端部が係合歯の係合面の回転軌跡の範囲内に臨む係合位置に変位させることによって、巻取りドラムのロープ繰出し方向への回転を自由とし、ロープ巻取り方向への回転を阻止することができるため、帯状ロープの繰出し量を調整することができる。
【００１４】
ここで、帯状ロープの先端に安全フックを予め取付けておき、その安全フックを高所作業位置に張設された親綱や構築物に係合して高所で作業をしている際に、作業者が誤って落下し、帯状ロープが急速に引き出されると、その帯状ロープの引き出しにより巻取りドラムがロープ繰出し方向に向けて高速回転し始める。
【００１５】
このとき、巻取りドラムの回転初期の段階でディスクの係合歯が作用片部の内側面を打撃するため、ロックレバーが急激に揺動して、その慣性力によりロック片部の先端部が係合歯のロック面と周方向で対向する位置まで揺動し、そのロック片部の先端部に対する係合歯のロック面の係合によって巻取りドラムがロックされ、巻取りドラムはロープ繰出し方向に回転するのが防止される。
【００１６】
このように、帯状ロープが急速に引き出されると、巻取りドラムがロックされて帯状ロープの繰り出しが阻止されるため、作業者の落下距離は最小限に抑えられることになり、帯状ロープによって墜落が阻止される作業者に大きな衝撃力が負荷されることはない。
【００１７】
上記の課題を解決するため、第２の発明においては、第１の発明に係る巻取器における係合歯の外周にロック面側の一端から係合面側の他端に向けてドラム中心までの半径が次第に小さくなる弧状面を形成し、その弧状面の回転軌跡の範囲内に作用片部の先端が臨む位置をロックレバーの係合解除位置とした構成を採用したのである。
【００１８】
上記第２の発明のように、係合歯の外周に弧状面を形成し、その弧状面の回転軌跡の範囲内に作用片部の先端が臨む位置をロックレバーの係合解除位置とすることにより、帯状ロープが高速度で引き出されて巻取りドラムがロープ繰出し方向に向けて高速回転し始めると、ディスクの係合歯が作用片部の内側面を打撃し、その打撃によりロックレバーが急激に揺動して、その慣性力によりロック片部の先端部が係合歯のロック面と周方向で対向する位置まで揺動し、そのロック片部の先端部に対する係合歯のロック面の係合によって巻取りドラムがロックされ、巻取りドラムはロープ繰出し方向に回転するのが防止される。
【００１９】
このように、帯状ロープが急速に引き出されると、巻取りドラムはその回転初期の段階でロックされて帯状ロープの繰り出しが阻止されるため、ロックレバーを係合解除位置に変位させる状態においても、作業者の落下距離は最小限に抑えられることができる。
【００２０】
ここで、第１の発明に係る巻取器および第２の発明に係る巻取器のいずれの巻取器においても、切換スイッチは、ロックレバーの揺動中心軸を中心にして揺動自在とし、その操作片部を巻取りケースの周壁に形成されたスイッチ挿入孔から外部に臨む支持とすることができる。この場合、操作片部の一方の揺動操作面にロックレバーを係合位置に変位させた位置でスイッチ挿入孔の内周一辺に係合する第１係合段部と、ロックレバーを係合解除位置に変位させた位置でスイッチ挿入孔の内周一辺に係合する第２係合段部を設けて切換スイッチを切換え位置で保持できるようにする。
【００２１】
また、ロックレバーのロック片部に巻取りドラムの軸方向に延びる連結バーを設け、その連結バーの端部に切換スイッチと軸方向で対向する連動プレートを設け、その連動プレートにロックレバーの揺動中心軸が挿入されるピン孔を形成し、そのピン孔の内周に切欠部を形成し、切換スイッチには上記切欠部に挿入される突片を設けて、切換スイッチの揺動によりロックレバーが揺動するようにしておく。
【発明の効果】
【００２２】
上記のように、第１の発明においては、ディスクの外周に設けられた係合歯のロック片部の先端部が係合可能なロック面に対する反対側の端部に作用片部の先端部が係合可能な係合面を設け、その係合面の回転軌跡の範囲内に作用片部の先端部が臨む係合位置と、前記回転軌跡から径方向外方に作用片部の先端部が退避する係合解除位置とにロックレバーを切り換えて変位させる切換スイッチを設けたことによって、その切換スイッチの操作によりロックレバーを係合位置に変位させることによって、作用片部の先端部に対する係合面の係合により巻取りドラムがロープ巻取り方向に回転するのを阻止することができ、反対に、ロープ繰出し方向に自由に回転させることができることでき、帯状ロープの繰出し量を調整することができる。
【００２３】
また、帯状ロープの急速な引き出しによって巻取りドラムがロープ繰出し方向に高速で回転しようとすると、係合歯が作用片部の内側面を打撃し、その打撃によりロックレバーが係合解除位置に向けて大きく揺動して、ロック片部の先端部が係合歯の回転軌跡の範囲内に臨み、そのロック片部の先端部に対するロック面の係合により巻取りドラムがロープ繰出し方向に回転するのを防止することができる。このため、作業者の落下距離を最小限に抑えることができる。
【００２４】
第２の発明においては、係合歯の外周に弧状面を形成し、その弧状面の回転軌跡の範囲内に作用片部の先端が臨む位置をロックレバーの係合解除位置としたことにより、ロックレバーを係合解除位置に変位させる状態においても、作業者の落下距離を最小限に抑えられることができる。
【００２５】
第１の発明および第２の発明のいずれの発明も、巻取りドラムの一側面に固定されたディスクと、そのディスクの周囲に設けられたロックレバーとで帯状ロープの繰出し量の調整と巻取りドラムのロックとを行なうことができるため、部品点数の少ない簡単な構成の小型の巻取器を得ることができる。
【図面の簡単な説明】
【００２６】
【図１】この発明に係る帯状ロープの巻取器を採用した高所作業用安全帯の正面図
【図２】この発明に係る帯状ロープの巻取器の縦断正面図
【図３】図２の一部切欠左側面図
【図４】図２に示すロックレバーの支持部の背面図
【図５】ドラム支持枠、巻取りドラム、ロックレバーおよび切換スイッチのそれぞれを示す分解斜視図
【図６（ａ）】作動状態を示す説明図
【図６（ｂ）】作動状態を示す説明図
【図６（ｃ）】作動状態を示す説明図
【図７】巻取器の他の例を示す断面図
【図８】図７に示すロックレバーを係合解除位置に変位させた状態の断面図
【発明を実施するための形態】
【００２７】
以下、この発明の実施の形態を図面に基づいて説明する。図１に示すように、高所作業用安全帯１は、胴ベルト２を有し、その胴ベルト２の一端部にはバックル３が取付けられている。また、胴ベルト２には、作業者の腰部に対する巻き締め状態で左腰部と対向する位置にこの発明に係る巻取器１０が取付けられ、その巻取器１０から引き出された帯状ロープ１１の先端部には安全フック１２が連結されている。
【００２８】
ここで、帯状ロープ１１は、芯材にアラミド繊維等の高強度繊維を用いた構成とされて、極めて大きな引張り強度を有している。
【００２９】
図２および図３に示すように、巻取器１０は内部中空の巻取りケース１３を有している。巻取りケース１３は、軸方向に２分割され、その分割ケースはねじの締め付けにより結合一体化されている。
【００３０】
巻取りケース１３の内部空間は、ドラム収納空間１４とされ、そのドラム収納空間１４内にドラム支持枠１５が組込まれている。図２、図３および図５に示すように、ドラム支持枠１５は、巻取りケース１３の平坦な上面壁の下面に衝合される板体１６の両側に対向一対の側板１７を設けたコの字形をなしており、巻取りケース１３内への組込みによって固定の状態とされる。
【００３１】
ドラム支持枠１５の対向一対の側板１７間には軸方向の両端にフランジ１８ａを有し、そのフランジ１８ａ間で帯状ロープ１１を巻き取る巻取りドラム１８が組込まれている。巻取りドラム１８は、対向一対の側板１７により両端部が支持されたドラム軸１９を中心にして回転自在とされ、その内部に組込まれたゼンマイばね２０によってロープ巻取り方向への回転力が付与されている。
【００３２】
巻取りドラム１８に巻き取られた帯状ロープ１１は、巻取りケース１３の周壁に形成されたロープ引出し口２１から外部に引き出されている。
【００３３】
巻取りドラム１８の軸方向の一側面には金属製のディスク２２が固定されている。ディスク２２の外周には複数の係合歯２３が等間隔に形成され、その複数の係合歯２３のそれぞれには、周方向の一端部にロック面２４が設けられ、周方向の他端部に係合面２５が形成されている。また、係合歯２３の外周は、ロック面２４側の一端から係合面２５側の他端に向けてドラム中心までの半径が次第に小さくなる弧状面２６とされている。
【００３４】
ディスク２２の外周囲には金属製のロックレバー２７が設けられている。ロックレバー２７は、ロック片部２７ａの一端部に作用片部２７ｂが連設されてくの字形状をなし、そのロック片部２７ａと作用片部２７ｂの連設部が対向一対の側板１７により両端部が支持されたピン２８で支持され、そのピン２８を中心にして揺動自在とされている。
【００３５】
ロックレバー２７は、図６（ａ）の鎖線で示すように、係合歯２３の回転軌跡ｘに作用片部２７ｂの先端が位置する状態でロック片部２７ａの先端が上記回転軌跡ｘより半径方向外方に位置し、上記作用片部２７ｂの先端が回転軌跡ｘより径方向外方に大きく変位される状態で、ロック片部２７ａの先端が回転軌跡ｘ内に臨むようになっている。
【００３６】
図２、図３および図５に示すように、ロックレバー２７のロック片部２７ａの外側面には連結バー２９の一端部が一体化されている。連結バー２９は巻取りドラム１８の外周囲を軸方向に延び、その他端部には折曲げによって連動プレート３０が設けられている。
【００３７】
連動プレート３０は、ピン２８が挿通されるピン孔３１を有し、そのピン孔３１の内周に切欠部３２が形成されている。
【００３８】
ロックレバー２７の揺動中心となる上記のピン２８には、ロックレバー２７と連動プレート３０間に弾性部材としてのキックばね３３が支持されている。キックばね３３は、ロックレバー２７の作用片部２７ｂの先端がディスク２２の外周に接触する方向に向けてロックレバー２７を付勢している。
【００３９】
また、ピン２８には切換スイッチ３４が支持されている。切換スイッチ３４は、ピン２８に嵌合可能なボス部３４ａの外周に周方向に延びる弾性片３４ｂを設け、その弾性片３４ｂの上面に操作片部３４ｃを設けた構成とされ、上記ボス部３４ａがピン２８に嵌合され、操作片部３４ｃが巻取りケース１３の周壁に形成されたスイッチ挿入孔３５に挿通されて端部が外部に位置する組付けとされ、上記ピン２８を中心に揺動自在とされている。
【００４０】
切換スイッチ３４には、操作片部３４ｃの一方の揺動操作面にスイッチ挿入孔３５の内周一辺に対して係合可能な第１係合段部３６および第２係合段部３７が階段状の配置でもって形成されている。
【００４１】
また、切換スイッチ３４には、ボス部３４ａの前記連動プレート３０と対向する端面に突片３８が設けられている。突片３８は連動プレート３０に形成された切欠部３２内に挿入されており、切換スイッチ３４を揺動させると、突片３８が切欠部３２の周方向で対向する端面を押圧し、その押圧によってロックレバー２７が揺動するようになっている。
【００４２】
また、切換スイッチ３４を、第１係合段部３６がスイッチ挿入孔３５の内周一辺に係合する位置まで揺動させると、作用片部２７ｂの先端部が図６（ａ）に示す係合歯２３の回転軌跡ｘ内に位置する係合位置にロックレバー２７が変位され、一方、第２係合段部３７がスイッチ挿入孔３５の内周一辺に係合する位置まで揺動させると、作用片部２７ｂの先端部が回転軌跡ｘから径方向外方に退避する係合解除位置にロックレバー２７が変位されるようになっており、上記ロックレバー２７の係合位置で、突片３８と切欠部３２の一方の端面間に、図４に示すように、ロックレバー２７が係合解除位置に向けて揺動可能とする回転方向の遊びが設けられている。δはその回転方向の遊び量を示す。
【００４３】
図２に示すように、連結バー２９には押圧片２９ａが設けられ、その押圧片２９ａは、巻取りケース１３の周壁に形成されて弾性変形可能な柔軟なキャップ３９により閉塞された窓４０内に配置され、上記キャップ３９を介して押圧片２９ａを押圧すると、係合位置に変位されたロックレバー２７が係合解除位置に向けて揺動するようになっている。
【００４４】
実施の形態で示す高所作業用安全帯１は上記の構造からなり、高所での作業に際しては、胴ベルト２を腰部に巻付け、巻取器１０から帯状ロープ１１を引き出し、その帯状ロープ１１の先端の安全フック１２を高所に張設された親綱や構築物等に係合して、安全性を確保する。
【００４５】
帯状ロープ１１の引き出しに際しては、図６（ａ）に示すように、第１係合段部３６がスイッチ挿入孔３５の内周一辺と係合する位置まで切換スイッチ３４を揺動させるようにする。
【００４６】
上記のように、切換スイッチ３４を第１係合段部３６がスイッチ挿入孔３５の内周一辺と係合する位置まで揺動させると、突片３８が切欠部３２の周方向で対向する一端を押圧する。その押圧によりロックレバー２７が係合位置に向けて揺動して、図６（ａ）に示すように、ロックレバー２７は、作用片部２７ｂの先端部が係合歯２３の回転軌跡ｘ内に配置される係合位置に変位される。
【００４７】
ロックレバー２７を係合位置に変位させた状態で帯状ロープ１１を引き出すと、巻取りドラム１８が図２の矢印で示すロープ繰り出し方向に回転する。このとき、ディスク２２の外周に設けられた係合歯２３がロックレバー２７の作用片部２７ｂの内側面を押圧し、その押圧によりロックレバー２７が係合解除位置に向けて揺動すると共に、上記係合歯２３が作用片部２７ｂの先端を通過すると、キックばね３３の押圧によりロックレバー２７が係合位置に向けて揺動し、係合歯２３が作用片部２７ｂの先端を通過するたびに、ロックレバー２７は揺動を繰り返す。
【００４８】
ここで、ロックレバー２７が係合解除位置に向けて揺動するとき、ロックレバー２７はロック片部２７ａの先端がディスク２２の外周面に近づく方向に向けて揺動するが、ロック片部２７ａの先端は係合歯２３の回転軌跡ｘ内に入り込むようなことはないようにされているため、巻取りドラム１８は回転を阻害されることなくロープ繰出し方向に回転する。
【００４９】
帯状ロープ１１の引き出しを停止すると、ゼンマイばね２０の弾性により巻取りドラム１８がロープ巻取り方向に回転する。このとき、ロックレバー２７は、作用片部２７ｂの先端部が係合歯２３の回転軌跡ｘ内に配置される係合位置に変位されているため、図６（ａ）に示すように、係合歯２３の係合面２５が作用片部２７ｂの先端部に係合し、巻取りドラム１８は帯状ロープ１１を繰出した位置で停止保持される。
【００５０】
このように、ロックレバー２７を係合位置に変位させることによって巻取りドラム１８のロープ繰出し方向への回転を自由とし、ロープ巻取り方向への回転を阻止することができるため、帯状ロープ１１の繰出し量を調整することができる。
【００５１】
帯状ロープ１１の先端の安全フック１２を高所作業位置に張設された親綱や構築物に係合して高所で作業をする場合は、切換スイッチ３４を、第１係合段部３６がスイッチ挿入孔３５の内周一辺に係合する状態として、ロックレバー２７を係合位置に変位させた状態としておく。その作業状態において、作業者が誤って落下し、帯状ロープ１１が急速に引き出されると、その帯状ロープ１１の引き出しにより巻取りドラム１８が高速回転しようとする。
【００５２】
このとき、ディスク２２の係合歯２３が作用片部２７ｂの内側面を打撃するため、ロックレバー２７が急激に揺動し、その慣性力によりロック片部２７ａの先端部が係合歯２３と周方向で対向する位置まで揺動し、そのロック片部２７ａの先端部に、図６（ｂ）に示すように、係合歯２３のロック面２４が係合する。その係合によって巻取りドラム１８がロックされ、巻き取りドラム１８はロープ繰出し方向に回転するのが防止される。
【００５３】
このように、帯状ロープ１１が急速に引き出されると、巻取りドラム１８がロックされて帯状ロープ１１の繰り出しが阻止されるため、作業者の落下距離は最小限に抑えられることになり、帯状ロープ１１によって墜落が阻止される作業者に大きな衝撃力が負荷されることはない。
【００５４】
図６（ａ）に示す帯状ロープ１１の繰出し量調整状態において、切換スイッチ３４を、第２係合段部３７がスイッチ挿入孔３５の内周一辺に係合する方向に向けて揺動させると、突片３８が切欠部３２の他端を押圧し、その押圧によりロックレバー２７が係合解除位置に向けて揺動するため、図６（ｃ）に示すように、作用片部２７ｂの先端部に対する係合面２５の係合を解除させることができる。その係合解除により、ゼンマイばね２０の弾性力により、巻取りドラム１８がロープ巻取り方向に回転し、帯状ロープ１１が巻取りドラム１８により巻き取られることになる。
【００５５】
なお、繰り出された帯状ロープ１１の巻き取りに際しては、窓４０に臨む押圧片２９ａを押し込んで、ロックレバー２７を係合解除位置に向けて揺動させるようにしてもよい。
【００５６】
以上のように、巻取りドラム１８の一側面に固定されたディスク２２と、そのディスク２２の周囲に設けられ、切換スイッチ３４の操作によって係合位置と係合解除位置との変位されるロックレバー２７とで、帯状ロープ１１の繰出し量の調整と巻取りドラム１８のロックとを行なうことができるため、部品点数の少ない簡単な構成の小型の巻取器を得ることができる。
【００５７】
図７および図８は、巻取器１０の他の例を示す。この例においては、係合歯２３の外周に形成された弧状面２６の回転軌跡の範囲内に作用片部２７ｂの先端部が臨む位置をロックレバー２７の係合解除位置としており、そのロックレバー２７の係合位置は、図２に示す巻取器１０と同様に、作用片部２７ｂの先端部が係合面２５の回転軌跡ｘの範囲内に配置される位置としている。他の構成は、図２に示す場合と同一であるため、同一部品には同一符号を付して説明を省略する。
【００５８】
ここで、弧状面２６の回転軌跡の範囲とは、図７に示すように、ドラム軸１９の軸心を中心にして係合面２５の先端を通る円ｙとドラム軸１９の軸心を中心にしてロック面２４の先端を通る円ｚ間の範囲をいう。
【００５９】
上記のように、弧状面２６の回転軌跡の範囲内に作用片部２７ｂの先端部が臨む位置をロックレバー２７の係合解除位置とすることにより、図８に示すように、そのロックレバー２７を係合解除位置に変位させた状態で図２に示す帯状ロープ１１が高速度で引き出され、巻取りドラム１８がロープ繰出し方向（図８の矢印で示す方向）に向けて高速回転し始めると、ディスク２２の係合歯２３が作用片部２７ｂの内側面を打撃する。その打撃によりロックレバー２７が急激に揺動し、その慣性力によりロック片部２７ａの先端部が、図８の鎖線イで示すように、係合歯２３のロック面２４と周方向で対向する位置まで揺動し、そのロック片部２７ａの先端部に対する係合歯２３のロック面２４の係合によって巻取りドラム１８がロックされ、巻取りドラム１８はロープ繰出し方向に回転するのが防止される。
【００６０】
このように、帯状ロープ１１が急速に引き出されると、巻取りドラム１８はその回転初期の段階でロックされて帯状ロープ１１の繰り出しが阻止されるため、ロックレバー２７を係合解除位置に変位させる状態においても、作業者の落下距離は最小限に抑えられることができる。
【符号の説明】
【００６１】
１１    帯状ロープ
１３    巻取りケース
１８    巻取りドラム
２０    ゼンマイばね
２２    ディスク
２３    係合歯
２４    ロック面
２５    係合面
２６    弧状面
２７    ロックレバー
２７ａ  ロック片部
２７ｂ  作用片部
２９    連結バー
３０    連動プレート
３１    ピン孔
３２    切欠部
３３    キックばね（弾性部材）
３４    切換スイッチ
３４ｃ  操作片部
３５    スイッチ挿入孔
３６    第１係合段部
３７    第２係合段部
３８    突片
【図１】
0005515112.tif 000002
【図２】
0005515112.tif 000003
【図３】
0005515112.tif 000004
【図４】
0005515112.tif 000005
【図５】
0005515112.tif 000006
【図６（ａ）】
0005515112.tif 000007
【図６（ｂ）】
0005515112.tif 000008
【図６（ｃ）】
0005515112.tif 000009
【図７】
0005515112.tif 000010
【図８】
0005515112.tif 000011